(57)【要約】【課題】  ストーリー性のある映像データに連動させて当該映像データに登場する被写体の属性情報を当該映像データに対応付けて記録する撮像記録システムを提供すること。【解決手段】  撮像記録システム１００は、撮像する際のキャラクタを含む人物などの被写体に取り付けられ、当該被写体の属性を示す属性データを送信する複数のデータ送信装置１１０と、当該送信された属性データを受信するとともに、被写体や風景など放送コンテンツデータの素材となる音声を含む映像を撮像し、当該撮像した映像および受信した属性データを記録するデータ受信機能付き撮像カメラ装置１２０と、から構成される。  【選択図】  図１
2005167613.tif 000002
【特許請求の範囲】
【請求項１】
音源から発生された音または写し取られる対象である被写体を撮像することにより取得した映像の少なくとも何れか一方をコンテンツデータとして記録するデータ記録システムであって、
前記音源または前記被写体の少なくとも何れか一方に取り付けられ、当該音源または当該被写体の少なくとも何れか一方の属性を示す属性データを送信するデータ送信装置と、
前記データ送信装置から送信された属性データを、当該データ送信装置が取り付けられている音源から発生された音または被写体を撮像することによって取得した映像の少なくとも何れか一方に対応付けて記録するデータ記録装置と、
を備えることを特徴とするデータ記録システム。
【請求項２】
請求項１に記載のデータ記録システムにおいて、
前記データ送信装置が前記被写体に取り付けられている場合に、
前記データ記録装置が、
前記被写体を撮像する撮像手段と、
前記撮像した被写体の視野像をコンテンツデータとして取得するデータ取得手段と、
前記データ送信装置から送信された属性データを受信する受信手段と、
前記取得した映像データが記録されるとともに、当該記録される映像データに対応付けて前記受信された属性データが記録される記録手段と、
を有することを特徴とするデータ記録システム。
【請求項３】
請求項２に記載のデータ記録システムにおいて、
データ記録装置における取得手段が、前記撮像した被写体の視野像を複数のフレームから構成される映像データとして取得する場合に、
前記データ記録装置における記録手段には、前記フレーム毎に、前記映像データに対応付けて前記属性データが記録されることを特徴とするデータ記録システム。
【請求項４】
請求項１に記載のデータ記録システムにおいて、
前記データ送信装置が音源に取り付けられている場合に、
前記データ記録装置が、
音源から発生された音を集音する集音用マイクロホンと、
前記マイクロホンが集音した音をコンテンツデータとして取得するデータ取得手段と、
前記データ送信装置から送信された属性データを受信する受信手段と、
前記取得した音データが記録されるとともに、当該記録される音データに対応付けて前記受信した属性データが記録される記録手段と、
有することを特徴とするデータ記録システム。
【請求項５】
請求項４に記載のデータ記録システムにおいて、
データ記録装置における取得手段が、前記集音した音を複数のフレームから構成される音データとして取得する場合に、
前記データ記録装置における記録手段には、前記フレーム毎に、前記記録される音データに対応付けて属性データが記録されることを特徴とするデータ記録システム。
【請求項６】
音源から発生された音または写し取られる対象である被写体を撮像することにより取得した映像の少なくとも何れか一方をコンテンツデータとして取得する取得手段と、
前記音源または前記被写体の少なくとも何れか一方に取り付けられたデータ送信装置から送信された当該音源または当該被写体の少なくとも何れか一方の属性を示す属性データを受信する受信手段と、
前記取得されたコンテンツデータに対応付けて前記受信した属性データが記録される記録手段と、
を備えることを特徴とするデータ記録装置。
【請求項７】
請求項６に記載のデータ記録装置において、
前記取得手段が、被写体を撮像することにより取得した映像のコンテンツデータとして取得する場合に、
前記取得手段が、
前記被写体を撮像する撮像手段と、
前記撮像した被写体の視野像をコンテンツデータとして取得するデータ取得手段と、
を有することを特徴とするデータ記録装置。
【請求項８】
請求項７に記載のデータ記録装置において、
前記取得手段が、前記撮像した被写体の視野像を複数のフレームから構成されるコンテンツデータとして取得するとともに、
前記記録手段には、前記フレーム毎に、前記映像データに対応付けて前記属性データが記録されることを特徴とするデータ記録装置。
【請求項９】
請求項７または８に記載のデータ記録装置において、
前記受信手段が、前記撮像する被写体と異なる被写体との識別を行うための識別情報、前記被写体の名称を示す名称情報、前記被写体の年齢を示す年齢情報、前記被写体の職業を示す職業情報、前記被写体の性別を示す性別情報、および、前記被写体の性格を示す性格情報の少なくとも何れか一の情報を前記属性情報として受信することを特徴とするデータ記録装置。
【請求項１０】
請求項７乃至９の何れか一項に記載のデータ記録装置において、
前記撮像手段によって撮像可能な撮像範囲に光ビームを照射する照射手段を更に有することを特徴とするデータ記録装置。
【請求項１１】
請求項１０に記載のデータ記録装置において、
前記被写体に取り付けられたデータ送信装置から前記照射手段から照射された光ビームを受信した旨を示す光ビーム情報が送信された場合に、
前記受信手段が、前記属性情報とともに前記光ビーム情報を受信し、前記記録手段に、前記属性情報とともに前記光ビーム情報が記録されることを特徴とするデータ記録装置。
【請求項１２】
請求項６に記載のデータ記録装置において、
前記取得手段が音源から発生され音をコンテンツデータとして取得する場合に、
前記取得手段が、
前記音源から発生された音を集音する集音用マイクロホンと、
前記マイクロホンが集音した音をコンテンツデータとして取得するデータ取得手段と、
を有することを特徴とするデータ記録装置。
【請求項１３】
請求項１２に記載のデータ記録装置において、
前記取得手段が、前記音を複数のフレームから構成されるコンテンツデータとして取得するとともに、前記記録手段には、前記フレーム毎に、前記音データに対応付けて前記属性データが記録されることを特徴とするデータ記録装置。
【請求項１４】
請求項１２または１３に記載のデータ記録装置において、
前記受信手段が、前記取得する音源と異なる音源との識別を行うための識別情報、前記音源の名称を示す名称情報、または、前記音源から音を出力させるために当該音源を操作する操作者に関する操作者情報の少なくとも何れか一の情報を前記属性情報として受信することを特徴とするデータ記録装置。
【請求項１５】
請求項１２乃至１４の何れか一項に記載のデータ記録装置において、
前記音源に取り付けられたデータ送信装置から当該音源における音出力の有無を示す音源出力情報が送信された場合に、
前記受信手段が、前記属性情報とともに前記音源出力情報を受信し、前記記録手段に、前記属性情報とともに前記音源出力情報が記録されることを特徴とするデータ記録装置。
【請求項１６】
請求項６乃至１５の何れか一項に記載のデータ記録装置において、
前記受信手段が、前記データ送信装置との前記コンテンツデータの送受信を行う際に、当該コンテンツデータの送受信が可能である前記データ送信装置の有無を判断することを特徴とするデータ記録装置。
【請求項１７】
音を発生する音源または写し取られる対象である被写体の少なくとも何れか一方に取り付けられているデータ送信装置であって、
前記音源または被写体の少なくとも何れか一方の属性を示す属性データが予め記憶される記憶手段と、
前記音源から発生された音または前記被写体を撮像することによって結像された視野像の少なくとも何れか一方をコンテンツデータとしてデータ記録装置が記録する際に、前記コンテンツデータに対応付けて前記記憶された属性データを記録するために、当該データ記録装置に前記属性データを送信する送信手段と、
を備えることを特徴とするデータ送信装置。
【請求項１８】
請求項１７に記載のデータ送信装置において、
前記データ記録装置が前記被写体を撮像することによって記録する場合であって、前記データ記録装置が撮像範囲に光ビームを照射する場合に
前記光ビームを受信する光ビーム受信手段を有し、
前記送信手段が、前記光ビームを受信した旨を示す光ビーム情報を前記データ記録装置に送信することを特徴とするデータ送信装置。
【請求項１９】
請求項１７または１８に記載のデータ送信装置において、
前記音源から発生された音を集音する音源用マイクロホンと、
前記音源用マイクロホンによって集音された音に基づいて前記音源の音の出力の有無を判断する判断手段と、
を更に備え、
前記送信手段が、前記判断手段によって判断された判断結果を示す音源出力情報を前記データ記録装置に送信することを特徴とするデータ送信装置。
【請求項２０】
音源から発生された音または写し取られる対象である被写体を撮像することにより取得した映像の少なくとも何れか一方をコンテンツデータとして記録するデータ記録方法であって、
前記音源または前記被写体の少なくとも何れか一方に取り付けられたデータ送信装置から当該音源または当該被写体の少なくとも何れか一方の属性を示す属性データを送信する送信行程と、
前記送信された属性データを、当該データ送信装置が取り付けられている音源から発生された音または被写体を撮像することによって取得した映像の少なくとも何れか一方に対応付けて記録する記録行程と、
を含むことを特徴とするデータ記録方法。
【請求項２１】
音源から発生された音または写し取られる対象である被写体を撮像することにより取得した映像の少なくとも何れか一方をコンテンツデータとして取得する取得工程と、
前記音源または前記被写体の少なくとも一方に取り付けられたデータ送信装置から送信された当該音源または当該被写体の少なくとも何れか一方の属性を示す属性データを受信する受信工程と、
前記取得されたコンテンツデータに対応付けて前記受信した属性データをデータ記録部位に記録する記録工程と、
を含むことを特徴とするデータ記録方法。
【請求項２２】
コンピュータによって、コンテンツデータをデータ記録部に記録するデータ記録プログラムであって、
前記コンピュータを、
音源から発生された音または写し取られる対象である被写体を撮像することにより取得した映像の少なくとも何れか一方をコンテンツデータとして取得する取得工程と、
前記音源または前記被写体の少なくとも何れか一方に取り付けられたデータ送信装置から送信された当該音源または当該被写体の少なくとも何れか一方の属性を示す属性データを受信する受信手段、
前記取得されたコンテンツデータに対応付けて前記受信した属性データをデータ記録部に記録する記録制御手段、
として機能させることを特徴とするデータ記録プログラム。
【請求項２３】
請求項２２に記載のデータ記録プログラムを記録したコンピュータで読み取り可能な記録媒体。
【発明の詳細な説明】
【技術分野】
【０００１】
本発明は、映像および音声とともに、映像または音声関する属性を記録する撮像記録システムの技術分野に属する。
【背景技術】
【０００２】
近年、放送衛星や通信衛星などの人工衛星を介して、デジタル化したテレビジョン信号を伝送し、各家庭においてこれを受信してテレビ番組を視聴するデジタル放送システムが運用されている。この種のシステムでは、多くの放送チャンネルを確保することができるので、非常に多数の番組を放送することができるようになっている。
【０００３】
このようなシステムでは、多数の番組の放送内容を示す番組情報、例えば、ＢＳ（Broadcasting Satellite）デジタル放送やＣＳ（Communication Satellite）デジタル放送における番組配列情報（以下、ＳＩ（Service Information）情報）などの当該放送コンテンツデータについて所定の情報を記述したデータ（以下、メタデータという。）を、ＴＶ番組の映像・音声情報（以下、映像・音データという。）と共に衛星から各家庭のテレビジョン放送受信装置に送信するようになっている。
【０００４】
また、このシステムによって送信された放送コンテンツデータを受信する各テレビジョン放送受信装置は、映像・音データをＴＶディスプレイに出力するとともに、メタデータを抽出し、当該メタデータを用いてユーザに対して様々なサービスを提供するようになっている。
【０００５】
一方、小型のデジタルカメラやデジタル撮像カメラ装置等の撮像装置の発達により、動画および静止画を問わず、ユーザが景色や人物などの被写体をデジタル画像として撮像することが多くなってきている。
【０００６】
このような撮像装置には、撮像する音声を含む映像データを撮像して記録するとともに、被写体に発信器を着け、当該発信器によって送信される被写体の識別情報（メタデータ）を当該映像データに対応付けて記録するものが知られている。具体的には、この撮像装置は、被写体が身につけた点滅するタグの点滅パターンを読み取り、当該点滅パターンを識別情報として映像データに多重化して記録するようになっている（例えば、特許文献１参照）。
【特許文献１】特開２００１−３２０７０２号公報
【発明の開示】
【発明が解決しようとする課題】
【０００７】
しかしながら、上述のような放送システムにあっては、メタデータが、当該メタデータが添付されているコンテンツデータのジャンルや放送日時などのコンテンツデータ全体としての属性を示すのみである。また、上述のような撮像装置にあっては、識別情報を映像データに対応付けるだけであり、特に、被写体の属性情報を当該映像データに連動して記録するようになっていない。
【０００８】
したがって、これらの放送システムまたは撮像装置では、放送されるコンテンツデータなどのストーリー性のある映像データにおいて、フレーム毎またはシーン毎の属性を示すことができないので、当該ストーリー性のある映像データの内容を、当該フレーム毎またはシーン毎の属性に基づいて解析することができなかった。
【０００９】
本発明は、上記に鑑みて為されたもので、その課題の一例としては、ストーリー性のある映像データに連動させて当該映像データに登場する被写体の属性情報を当該映像データに対応付けて記録する撮像記録システムを提供することにある。
【課題を解決するための手段】
【００１０】
上記の課題を解決するために、請求項１に記載の発明は、音源から発生された音または写し取られる対象である被写体を撮像することにより取得した映像の少なくとも何れか一方をコンテンツデータとして記録するデータ記録システムであって、前記音源または前記被写体の少なくとも何れか一方に取り付けられ、当該音源または当該被写体の少なくとも何れか一方の属性を示す属性データを送信するデータ送信装置と、前記データ送信装置から送信された属性データを、当該データ送信装置が取り付けられている音源から発生された音または被写体を撮像することによって取得した映像の少なくとも何れか一方に対応付けて記録するデータ記録装置と、を備える構成を有している。
【００１１】
また、請求項６に記載の発明は、音源から発生された音または写し取られる対象である被写体を撮像することにより取得した映像の少なくとも何れか一方をコンテンツデータとして取得する取得手段と、前記音源または前記被写体の少なくとも何れか一方に取り付けられたデータ送信装置から送信された当該音源または当該被写体の少なくとも何れか一方の属性を示す属性データを受信する受信手段と、前記取得されたコンテンツデータに対応付けて前記受信した属性データが記録される記録手段と、を備える構成を有している。
【００１２】
また、請求項１７に記載の発明は、音を発生する音源または写し取られる対象である被写体の少なくとも何れか一方に取り付けられているデータ送信装置であって、前記音源または被写体の少なくとも何れか一方の属性を示す属性データが予め記憶される記憶手段と、前記音源から発生された音または前記被写体を撮像することによって結像された視野像の少なくとも何れか一方をコンテンツデータとしてデータ記録装置が記録する際に、前記コンテンツデータに対応付けて前記記憶された属性データを記録するために、当該データ記録装置に前記属性データを送信する送信手段と、を備える構成を有している。
【００１３】
また、請求項２０に記載の発明は、音源から発生された音または写し取られる対象である被写体を撮像することにより取得した映像の少なくとも何れか一方をコンテンツデータとして記録するデータ記録方法であって、前記音源または前記被写体の少なくとも何れか一方に取り付けられたデータ送信装置から当該音源または当該被写体の少なくとも何れか一方の属性を示す属性データを送信する送信行程と、前記送信された属性データを、当該データ送信装置が取り付けられている音源から発生された音または被写体を撮像することによって取得した映像の少なくとも何れか一方に対応付けて記録する記録行程と、を含む構成を有している。
【００１４】
また、請求項２１に記載の発明は、音源から発生された音または写し取られる対象である被写体を撮像することにより取得した映像の少なくとも何れか一方をコンテンツデータとして取得する取得工程と、前記音源または前記被写体の少なくとも何れか一方に取り付けられたデータ送信装置から送信された当該音源または当該被写体の少なくとも何れか一方の属性を示す属性データを受信する受信工程と、前記取得されたコンテンツデータに対応付けて前記受信した属性データをデータ記録部位に記録する記録工程と、を含む構成を有している。
【００１５】
また、請求項２２に記載の発明は、コンピュータによって、コンテンツデータをデータ記録部に記録するデータ記録プログラムであって、前記コンピュータを、音源から発生された音または写し取られる対象である被写体を撮像することにより取得した映像の少なくとも何れか一方をコンテンツデータとして取得する取得工程と、前記音源または前記被写体の少なくとも何れか一方に取り付けられたデータ送信装置から送信された当該音源または当該被写体の少なくとも何れか一方の属性を示す属性データを受信する受信手段、前記取得されたコンテンツデータに対応付けて前記受信した属性データをデータ記録部に記録する記録制御手段、として機能させる構成を有している。
【００１６】
また、請求項２３に記載の発明は、請求項２２に記載のデータ記録プログラムを記録した構成を有している。
【発明を実施するための最良の形態】
【００１７】
次に、本発明に好適な実施の形態について、図面に基づいて説明する。
【００１８】
なお、以下に説明する各実施形態は、放送コンテンツデータの素材となる映像当該を撮像して記録する撮像記録システムまたは当該放送コンテンツデータの素材となる音を集音して記録するデータ記録システムに対して本願のデータ送信装置、データ記録装置およびデータ記録システムを適用した場合の実施形態である。
【００１９】
〔１〕第１実施形態
始めに、図１〜図７を用いて撮像記録システムの第１実施形態について説明する。
【００２０】
次に、図１を用いて本実施形態における撮像記録システムの構成について説明する。
【００２１】
なお、図１は、本実施形態における撮像記録システムのシステム構成を示すブロック図である。
【００２２】
撮像記録システム１００は、図１に示すように、撮像する際のキャラクタを含む人物などの被写体に取り付けられ、当該被写体の属性を示す属性データを送信する複数のデータ送信装置１１０と、当該送信された属性データを受信するとともに、被写体や風景など放送コンテンツデータの素材となる音声を含む映像を撮像し、当該撮像した映像および受信した属性データ有するオブジェクトデータを記録するデータ受信機能付き撮像カメラ装置１２０（以下、単に、撮像カメラ装置１２０という。）と、から構成される。  
【００２３】
なお、データ送信装置１１０および撮像カメラ装置１２０は、属性データを無線により送受信するようになっている。
【００２４】
まず、各装置の構成を説明する前に、図２および図３を用いて撮像記録装置に記録されるコンテンツデータおよびオブジェクトデータからなるビデオストリームについて説明する。
【００２５】
なお、図２は、撮像カメラ装置がデータ記録部に記録するビデオストリームの構成の一例を示す図であり、図３は、データ送信装置から撮像カメラ装置に送信するオブジェクトデータの一例を示す図である。
【００２６】
本実施形態のビデオストリーム１は、図２に示すように、１〜１５フレーム程度のフレーム群毎に纏められた複数のフレーム群データ１０から構成され、各フレーム群データ１０は、記録されるコンテンツデータに関する所定のデータが記録されるヘッダ部１１と、各フレーム群に属する各フレームの映像データおよび音データが記述されるコンテンツデータ部１２と、当該各フレーム群に属するオブジェクトデータ２２を記述するメタデータ部１３と、から構成されている。
【００２７】
具体的には、ヘッダ部１１は、各フレーム群のビデオストリーム１における順番および他のフレーム群との識別を行うためのフレーム群番号情報１４と、各フレーム群毎に記録されているフレーム数を示すフレーム数情報１５と、コンテンツデータ部１２に記述されている各映像データおよび各音データにおける各フレームのアドレスを示すアドレス情報（以下、映像・音データアドレス情報という。）１６と、コンテンツデータ部１２に記述されている映像データおよび音データのデータ量の情報（以下、映像・音データサイズ情報という。）１７と、コンテンツデータ部１２に記述されているメタデータのアドレスを示すアドレス情報（以下、メタデータアドレス情報という。）１８と、コンテンツデータ部１２に記述されているメタデータのデータ量の情報（以下、メタデータサイズ情報という。）１９と、の各情報から構成されている。
【００２８】
また、メタデータ部１３は、フレーム群に属する各フレームのオブジェクトデータ数の情報２１とその各オブジェクトデータ２２と、から構成されるフレーム毎のフレームメタデータ２０から構成されている。
【００２９】
特に、オブジェクトデータ２２は、図３に示すように、撮像カメラ装置１２０によって撮像されている被写体が撮像範囲に属しているか否かを示す撮像範囲情報と、当該被写体における現在の発話の有無を示す発話情報と、を有するとともに、各被写体の識別を行う識別情報（以下、被写体ＩＤという。）と、当該データ送信装置１１０が取り付けられている被写体の名称を示す情報（以下、名称情報という。）と、当該データ送信装置１１０が取り付けられている被写体の各属性を示す年齢、職業、性別および性格の各情報（以下、それぞれ、年齢情報、職業情報、性別情報および性格情報という。）と、を有する属性データから構成されている。
【００３０】
次に、図４を用いて本実施形態における編集システムのデータ送信装置の構成について説明する。なお、図４は、本実施形態のデータ送信装置の構成を示すブロック図である。
【００３１】
本実施形態のデータ送信装置１１０は、図４に示すように、属性データを記憶するデータ記憶部１１１と、アンテナＡＴに接続され、オブジェクトデータ２２の送受信を行うとともに当該オブジェクトデータ２２の送受信に関して種々のデータを送受信するデータ送受信部１１２と、撮像カメラ装置１２０から発信された撮像範囲の画定用のビーム（以下、撮像範囲画定用ビームという。）を受信するためのビーム受信部１１３と、当該データ送信装置１１０が取り付けられた被写体の音声を取得する被写体用マイクロホン１１４と、当該被写体用マイクロホン１１４に入力された音声に基づいて、当該被写体の発話の有無を判断する発話判断部１１５と、オブジェクトデータを生成するとともに、当該生成したオブジェクトデータを撮像カメラ装置１２０に送信するために各部を制御するデータ送信装置用制御部１１６と、から構成され、各部はバス１１６により接続されている。
【００３２】
なお、例えば、本実施形態のデータ記憶部１１１は、本発明の記憶手段を構成し、データ送受信部１１２は、本発明の送信手段を構成する。また、例えば、本実施形態のビーム受信部１１３は、本発明の光ビーム受信手段を構成し、被写体用マイクロホン１１４は、本発明の音源用マイクロホンを構成する。さらに、例えば、本実施形態の発話判断部１１５は、本発明の判断手段を構成する。
【００３３】
データ記憶部１１１には、図示しないパーソナルコンピュータなどの通信端末装置によって送信された当該データ送信装置１１０が取り付けられている被写体の属性を示す属性データが、データ送受信部１１２を介して入力されるようになっており、当該入力された属性データが記録されるようになっている。
【００３４】
具体的には、このデータ記憶部１１１には、上述に示すオブジェクトデータ２２を構成する属性データ、すなわち、被写体ＩＤと、名称情報と、年齢、職業、性別および性格の各情報と、が記憶されている。
【００３５】
また、このデータ記憶部１１１は、オブジェクトデータ２２を生成するため、データ送信装置用制御部１１６の指示に基づいて、記憶されている属性データを当該データ送信装置用制御部１１６に出力するようになっている。
【００３６】
データ送受信部１１２は、アンテナＡＴに接続され、無線タグ、Ｂｌｕｅｔｏｏｔｈ（登録商標）などの所定の通信形式により、撮像カメラ装置１２０との、または、図示しないパーソナルコンピュータなどの通信端末装置とのデータ通信を行うようになっており、オブジェクトデータ２２の送受信を行うようになっている。
【００３７】
特に、データ送受信部１１２には、後述するように、データ送信装置用制御部１１６によって生成されたオブジェクトデータ２２が入力されるようになっており、このデータ送受信部１１２は、入力されたオブジェクトデータ２２に対してＡＥＳ（Advanced Encryption Standard）、ＤＥＳ（Data Encryption Standard）などの所定の暗号化処理を施し、当該暗号化処理されたオブジェクトデータ２２を撮像カメラ装置１２０に送信するようになっている。
【００３８】
また、データ送受信部１１２は、撮像カメラ装置１２０と属性データを有するオブジェクトデータ２２の送受信を行う際に、当該データ通信における認証のための所定のデータの送受信を行うようになっている。
【００３９】
具体的には、データ送受信部１１２は、他のデータ送受信部１１２との識別を行うための番号からなる識別情報（以下、識別ＩＤという。）その他の認証を行う際に必要なデータを撮像カメラ装置１２０に送信するとともに、撮像カメラ装置１２０から送信された認証のためのデータを受信し、当該受信したデータをデータ送信装置用制御部１１６に出力するようになっている。
【００４０】
なお、本実施形態のデータ送受信部１１２における認証の処理（以下、認証処理という。）およびその動作の詳細については、後述する。
【００４１】
ビーム受信部１１３は、後述する撮像カメラ装置１２０から発信された撮像範囲画定用ビームを受信するようになっており、この撮像範囲画定用ビームを受信した際に当該撮像範囲画定用ビームを受信した旨をデータ送信装置用制御部１１６に出力するようになっている。
【００４２】
被写体用マイクロホン１１４は、当該データ送信装置１１０が取り付けられている被写体における発話の有無の判断に用いられるようになっており、当該被写体の発話を集音し、集音した音声を音信号として発話判断部１１５に出力するようになっている。
【００４３】
発話判断部１１５には、被写体用マイクロホン１１４から出力された音信号が入力されるようになっており、この発話判断部１１５は、入力された音信号の有無に基づいて、当該データ送信装置１１０が取り付けられている被写体の発話の有無を判断し、この判断結果をデータ送信装置用制御部１１６に出力するようになっている。
【００４４】
データ送信装置用制御部１１６は、主に中央演算処理装置（ＣＰＵ）およびメモリによって構成されるとともに、各データの送受信の際に、全般的な機能を総括的に制御するようになっている。
【００４５】
特に、本実施形態では、データ送信装置用制御部１１６は、上述したビーム受信部１１３から入力された撮像範囲画定用ビームを受信した旨、発話判断部１１５によって判断された判断結果、およびデータ記憶部１１１に記憶されている属性データに基づいて、オブジェクトデータ２２を生成し、当該生成したオブジェクトデータ２２を、データ送受信部１１２を介して撮像カメラ装置１２０に出力するようになっている。
【００４６】
具体的には、データ送信装置用制御部１１６は、ビーム受信部１１３によって撮像範囲画定用ビームを受信した旨が入力された場合には、当該被写体が撮像範囲に属すると判断し、ビーム受信部１１３によって当該撮像範囲画定用ビームを受信している旨が入力されていない場合には、当該被写体が撮像範囲に属していないと判断し、当該被写体が撮像範囲に属しているか否かを示す撮像範囲情報を生成するようになっている。また、データ送信装置用制御部は、入力された発話判断部１１５における判断結果に基づいて、被写体における現在の発話の有無を示す発話情報を生成するようになっている。
【００４７】
また、データ送信装置用制御部１１６は、図３に示すように、上記のように生成した撮像範囲情報および発話情報と、データ記憶部１１１から取得した被写体ＩＤ、名称情報、年齢情報、職業情報、性別情報および性格情報から構成される属性データとに基づいてオブジェクトデータを生成し、当該生成したオブジェクトデータ２２を撮像カメラ装置１２０に出力するようになっている。
【００４８】
一方、データ送信装置用制御部は、当該データ送信装置１１０が撮像カメラ装置１２０にアクセス可能である装置であることを認証するための所定のデータを、撮像カメラ装置１２０からの指示に基づいてデータ送受信部１１２に送信させるようになっている。
【００４９】
次に、図５を用いて本実施形態における編集システムの撮像カメラ装置の構成について説明する。なお、図５は、本実施形態の撮像カメラ装置の構成を示すブロック図である。
【００５０】
本実施形態の撮像カメラ装置１２０は、図５に示すように、カメラレンズを有し、当該カメラレンズを介して映像を電気信号によって取得するカメラ部１２１と、当該カメラ部１２１を制御するカメラ制御部１２２と、撮像範囲画定用ビームを予め設定された範囲に照射するビーム照射部１２３と、カメラレンズに結像された視野像を撮像するために用いる操作部１２４と、カメラ部１２１によって取得した映像の電気信号（以下、映像信号という。）を予め設定された形式の映像データに変換する映像データ変換部１２５と、被写体の発話音声などの音を集音する集音用マイクロホン１２６と、当該集音用マイクロホン１２６によって取得した音信号を予め設定された形式の音データに変換する音データ変換部１２７と、アンテナＡＴに接続され、データ送信装置１１０から送信された属性データを有するオブジェクトデータ２２を受信するとともに、当該オブジェクトデータ２２の受信に関して種々のデータを送受信するデータ通信部１２８と、映像データ、音データおよびオブジェクトデータ２２に基づいてビデオストリームを生成するデータ生成部１２９と、生成されたビデオストリーム１が記録されるデータ記録部１３０と、各部を制御するシステム制御部１３１と、各処理を行う際に用いられるＲＯＭ／ＲＡＭ１３２と、から構成され、各部はバス１３２により接続されている。
【００５１】
なお、例えば、本実施形態のカメラ部１２１は、本発明の撮像手段を構成し、ビーム照射部１２３は、本発明の照射手段を構成する。また、例えば、本実施形態の映像データ変化部および音データ変換部１２７は、本発明の取得手段およびデータ取得手段を構成し、集音用マイクロホン１２６は、本発明の集音用マイクロホン１２６を構成する。さらに、例えば、データ通信部１２８は、本発明の受信手段を構成し、本実施形態のデータ記録部１３０は、本発明の記録手段を構成する。
【００５２】
カメラ部１２１は、カメラレンズと、当該カメラレンズによって結像された像を各画素毎に光電変換する撮像素子（以下、ＣＣＤ（Charge Coupled Device）という）と、光電変換された各画素毎の信号を一時的に格納するバッファと、を有し、カメラレンズによって集光されて形成された視野像を結像し、当該結像された視野像を光電変換してバッファに一時的に記憶しつつ、後述するフレーム毎に所定の形式を有する映像信号を映像データ変換部１２５に出力するようになっている。
【００５３】
なお、このカメラ部１２１は、図１に示すファインダーＦに機構的に接合されており、当該ユーザがフィアンダーを除くと、カメラレンズによって結像された視野像が確認できるようになっている。
【００５４】
ビーム照射部１２３は、カメラ制御部１２２の制御に基づいて、撮像中に、すなわち、映像データおよびそれに対応する音データをデータ記録部１３０に記録している際に、カメラ部１２１が撮像する撮像範囲に対応する範囲に、撮像範囲画定用ビームを照射するようになっている。
【００５５】
具体的には、このビーム照射部１２３は、カメラレンズによって撮像する撮像範囲に沿って円錐状に広がりのあるレーザビームを照射するようになっている。
【００５６】
カメラ制御部１２２は、撮像カメラ装置１２０のユーザが所望する視野像を的確に撮像するために、操作部１２４を介して入力された当該ユーザの指示に基づいて、カメラレンズまたは図示しないその他のカメラ部１２１の各部位を制御するとともに、カメラレンズによって撮像される範囲に撮像範囲画定用ビームを照射するように、当該カメラ部１２１の制御に伴って、ビーム照射部１２３を制御するようになっている。
【００５７】
操作部１２４は、カメラ部１２１を操作する操作ボタンと、任意の設定を確認および選択するための確認ボタン、選択ボタン及び数字キー等の多数のキーとにより構成され、各ボタンまたはキーが押し下げされると、当該各ボタンまたはキーに対応する信号をカメラ制御部１２２またはシステム制御部１３１に出力するようになっている。
【００５８】
なお、本実施形態では、この操作部１２４によって各操作および設定が行われると、当該操作部１２４における操作内容または設定内容がファインダーＦに設けられた画面に表示されるようになっている。
【００５９】
映像データ変換部１２５には、カメラ部１２１から出力された映像信号が入力されるようになっており、この映像データ変換部１２５は、フレーム毎に、入力された映像信号をデジタル信号に変換するとともに所定形式の映像データに変換し、当該変換した映像データをデータ生成部１２９に出力するようになっている。
【００６０】
集音用マイクロホン１２６は、被写体が発話した発話音声および撮像カメラ装置１２０周辺の環境音を集音するようになっており、集音した音を電気信号（以下、音信号という。）に変換して音データ変換部１２７に出力するようになっている。
【００６１】
音データ変換部１２７には、集音用マイクロホン１２６から出力された音信号が入力されるようになっており、この音データ変換部１２７は、入力された音信号を、フレーム毎に構成される所定形式の映像データに対応する音データに変換し、当該変換した音データをデータ生成部１２９に出力するようになっている。
【００６２】
データ通信部１２８は、アンテナＡＴに接続され、データ送信装置１１０と同様に、無線タグ、Ｂｌｕｅｔｏｏｔｈ（登録商標）などの所定の通信形式により、データ送信装置１１０とのデータ通信を行うようになっており、属性データを有するオブジェクトデータ２２の送受信を行うようになっている。
【００６３】
特に、データ通信部１２８は、暗号化されたオブジェクトデータ２２を受信し、当該受信したオブジェクトデータを復号し、所定のオブジェクトデータ２２をデータ生成部１２９に出力するようになっている。
【００６４】
具体的には、データ通信部１２８は、復号した各オブジェクトデータ２２における前回フレームに登場した被写体ＩＤと異なる被写体ＩＤの有無を判断させるとともに、前回フレームに登場した被写体ＩＤと異なる被写体ＩＤを有するオブジェクトデータ２２があるとき、当該各オブジェクトデータ２２をデータ生成部１２９に出力するようになっている。
【００６５】
なお、このとき、データ通信部１２８は、何れのオブジェクトデータ２２にも前回フレームに登場した被写体ＩＤと異なる被写体ＩＤが存在しないとき、何れのオブジェクトデータもデータ生成部１２９に出力せず、前回のフレームと同様なオブジェクトデータ２２である旨を出力するようになっている。
【００６６】
また、データ通信部１２８は、データ送信装置１１０におけるデータ送信装置用制御部１１６と同様に、データ送信装置１１０とオブジェクトデータ２２の送受信を行う場合に、当該データ送信装置１１０とデータ通信における認証を行うための所定のデータの送受信を行うようになっている。
【００６７】
なお、本実施形態のデータ送受信部１１２における認証の処理（以下、認証処理という。）およびその動作の詳細については、後述する。
【００６８】
データ生成部１２９には、映像データ、音データおよびオブジェクトデータが入力されるようになっており、このデータ生成部１２９は、入力された映像データ、音データおよびオブジェクトデータ２２に基づいてＭＰＥＧ（Motion Picture Experts Group）やＤＶ（Digital Video）などの所定の形式を有するビデオストリーム１を生成しつつ、当該生成した部分のビデオストリーム１を順次データ記録部１３０に出力するようになっている。
【００６９】
具体的には、このデータ生成部１２９は、上述したように、映像データおよび音データをフレーム毎に多重化し（以下、この多重化をマルチプレクス処理という。）、１〜１５フレーム程度の予め設定されたフレーム群データ３０を生成するとともに、当該生成したフレーム群データ３０に基づいてビデオストリーム１を生成するようになっている。
【００７０】
例えば、本実施形態のデータ生成部１２９は、上述のように、１〜１５フレーム程度のフレーム群毎に、当該フレーム群データ１０に記録されるコンテンツデータに関する所定のデータが記録されるヘッダ部１１と、各フレームの映像データおよび音データが記述されるコンテンツデータ部１２と、オブジェクトデータ２２を記述するメタデータ部１３と、から構成されるフレーム群データ１０を生成するようになっている。
【００７１】
データ記録部１３０は、例えば、ハードディスク（以下、ＨＤという）から構成されており、このデータ記録部１３０には、データ生成部１２９によって生成されたビデオストリーム１が入力され、この入力されたビデオストリーム１が記録されるようになっている。
【００７２】
システム制御部１３１は、主に中央演算処理装置（ＣＰＵ）によって構成されるとともに、各データの送受信の際に、または、映像データおよび音データを記録する際に、全般的な機能を総括的に制御するようになっている。
【００７３】
特に、システム制御部１３１は、オブジェクトデータ２２を受信する際に、データ通信部１２８を制御して、当該オブジェクトデータ２２の受信制御および認証処理の制御を行うとともに、映像データおよび音データを記録する際に、各データの記録、すなわち、ビデオストリーム１の生成および記録制御を行うようになっている。
【００７４】
なお、本実施形態乃システム制御部１３１における認証処理、および、映像データおよび音データを記録の処理（以下、単に、記録処理という。）の詳細については後述する。
【００７５】
次に、図６を用いて本実施形態の撮像カメラ装置の認証処理におけるシステム制御部の制御と各部の動作について説明する。
【００７６】
なお、図６は、本実施形態の撮像カメラ装置の認証処理におけるシステム制御部の制御および各部の動作を示すフローチャートである。
【００７７】
まず、システム制御部１３１に操作部１２４を介して撮像カメラ装置１２０の電源が入力されると、または、操作部１２４によってデータ送信装置１１０を認識する旨の操作が為され、当該データ送信装置１１０を認識する旨がシステム制御部１３１に入力されると（ステップＳ１１）、システム制御部１３１は、データ通信部１２８を介して、各データ送信装置１１０における電源入力の有無を検出する（ステップＳ１２）。
【００７８】
具体的には、データ送信装置１１０は、電源が投入されると、当該データ送信装置１１０に電源が入った旨の信号（以下、電源投入信号という。）と他のデータ送信装置１１０との識別を行う識別情報とを送信するので、システム制御部１３１は、電源投入信号と識別情報を受信することによって、当該送信された識別情報が既に認証されているデータ送信装置１１０以外のデータ送信装置１１０の有無を検出する。
【００７９】
このとき、システム制御部１３１は、未だ認証を行っていない識別情報を有するデータ送信装置１１０を検出した場合には、ステップＳ１３の処理に移行し、既に認証を行っている識別情報を有するデータ送信装置１１０のみを検出した場合には、または、何れのデータ送信装置１１０からも識別情報を受信しない場合には、当該認証処理を中止し、本動作を終了させる。
【００８０】
なお、システム制御部１３１は、既に認証を行っている識別情報を有するデータ送信装置１１０のみを検出した場合には、または、何れのデータ送信装置１１０からも識別情報を受信しない場合には、その旨をファインダーＦ内に設けられたモニターに表示する。
【００８１】
次いで、システム制御部１３１が未認証のデータ送信装置１１０を検出した場合には、当該システム制御部１３１は、各データ送信装置１１０毎に、以下の動作を行う。なお、システム制御部１３１が複数のデータ送信装置１１０を検出した場合には、当該データ送信装置１１０における識別情報の若い番号順に、以下の認証処理を行う。
【００８２】
まず、システム制御部１３１は、データ通信部１２８を介して認証処理のための各種のデータを当該システム制御部１３１に送信する旨の指示をデータ送信装置１１０に送信する（ステップＳ１３）。
【００８３】
このとき、認証処理のためのデータを送信すべき指示を受信したデータ送信装置１１０は、当該送信の指示に基づいて、上述のように、内部に格納されていた認証処理のための各種のデータを暗号化して撮像カメラ装置１２０に送信する。
【００８４】
次いで、システム制御部１３１は、データ通信部１２８を介してデータ送信装置１１０から認証処理のためのデータを受信すると、当該データを複合化し、上述のように、このデータ送信装置１１０が認証可能か否かの認証処理を行い（ステップＳ１４）、このデータ送信装置１１０の認証ができないと判断した場合には、当該システム制御部１３１は、当該データ送信装置１１０の認証処理を中止し、ステップＳ１５の処理に移行する。
【００８５】
なお、システム制御部１３１は、認証できないと判断した場合には、その旨をファインダーＦ内に設けられたモニターに表示する。
【００８６】
一方、システム制御部１３１が、このデータ送信装置１１０の認証が可能であると判断した場合には、当該システム制御部１３１は、当該データ送信装置１１０に認証可能である旨と、内部に格納されていた認証処理のための各種のデータと、を暗号化してデータ送信装置１１０に送信し、データ送信装置１１０から送信されるデータの受信を待機する（ステップＳ１５）。
【００８７】
このとき、データ送信装置１１０は、撮像カメラ装置１２０から認証処理のためのデータを受信すると、当該データを複合化し、上述のように、当該撮像カメラ装置１２０が認証可能か否かの認証処理を行い、データ送信装置１１０は、撮像カメラ装置１２０の認証ができないと判断した場合には、認証処理を中止し、当該撮像カメラ装置１２０の認証ができない旨を当該撮像カメラ装置１２０に送信する。一方、データ送信装置１１０は、当該撮像カメラ装置１２０の認証が可能であると判断した場合には、当該認証可能である旨を送信する。
【００８８】
次いで、システム制御部１３１は、データ通信部１２８を介して当該システム制御部１３１が受信したデータが認証不可の旨であるかまたは認証可能の旨であるのかを判断し（ステップＳ１６）、認証不可の旨を受信した場合には、当該システム制御部１３１は、当該データ送信装置１１０の認証処理を中止し、ステップＳ１５の処理に移行する。
【００８９】
なお、システム制御部１３１は、認証不可の旨を受信した場合には、その旨をファインダーＦ内に設けられたモニターに表示する。
【００９０】
一方、システム制御部１３１は、認証可能の旨を受信した場合には、データ送信装置１１０によって生成されたオブジェクトデータ２２を送信する旨の指示を当該送信装置に送信する（ステップＳ１７）。
【００９１】
最後に、システム制御部１３１は、未だ認証処理を行っていないデータ送信装置１１０の有無を判断（ステップＳ１８）し、当該認証処理を行っていないデータ送信装置１１０が存在する場合には、ステップＳ１２の処理に移行するとともに、当該認証処理を行っていないデータ送信装置１１０が存在しない場合には、本動作を終了させる。
【００９２】
次に、図７を用いて本実施形態の撮像カメラ装置の記録処理におけるシステム制御部の制御および各部の動作について説明する。
【００９３】
なお、図７は、本実施形態の撮像カメラ装置の記録処理におけるシステム制御部の制御および各部の動作を示すフローチャートである。
【００９４】
また、既に、データ送信装置１１０には各属性データが記憶されているものとし、当該各データ送信装置１１０は、上述の認証処理によって既に認証され、オブジェクトデータ２２を撮像カメラ装置１２０に送信されているものとする。
【００９５】
まず、ユーザが操作部１２４を操作することにより、システム制御部１３１に撮像の開始を指示すると、当該システム制御部１３１は、内部で生成される基準クロックに基づいて、１フレーム分の時間が経過したか否かを判断し（ステップＳ２１）、１フレーム分の時間が経過していないと判断した場合には、当該処理を繰り返すとともに、１フレーム分の時間が経過したと判断した場合には、各フレーム毎に以下の処理を実行する。
【００９６】
なお、このとき、カメラ部１２１は、ＣＣＤによってレンズに結像されている視野像について各画素毎に光電変換を行うとともに、当該光電変換された各画素毎の信号を内部のバッファに記憶する。
【００９７】
次いで、システム制御は、基準クロックに基づいて１フレーム分の時間が経過したと判断した場合には、カメラ部１２１に、各画素の信号を映像データ変換部１２５へ出力させるとともに、映像データ変換部１２５および音データ変換部１２７に、それぞれ、映像データ処理または音データ処理を実行させ、各処理された映像データおよび音データをそれぞれデータ生成部１２９に出力させる（ステップＳ２２〜Ｓ２６）。
【００９８】
具体的には、映像データ変換部１２５は、入力された映像信号を所定の周期によってサンプリングしてデジタル信号に変換するとともに（ステップＳ２２）、当該変換したデジタル信号を所定の形式にエンコードしてデータ生成部１２９に出力する（ステップＳ２３）。また、音データ変換部１２７は、入力された音信号を所定の周期によってサンプリングしてデジタル信号に変換するとともに（ステップＳ２４）、当該変換したデジタル信号を所定の形式にエンコードしてデータ生成部１２９に出力する（ステップＳ２５）。さらに、システム制御部１３１は、上述のように、データ生成部１２９に、当該フレームにおける映像データおよび音データをマルチプレクスさせる（マルチプレクス処理（ステップＳ２６））。
【００９９】
一方、システム制御部１３１は、データ通信部１２８に、各オブジェクトデータ２２を受信させ（ステップＳ２７）、当該受信させた各オブジェクトデータ２２における前回フレームに登場した被写体ＩＤと異なる被写体ＩＤの有無を判断させるとともに（ステップＳ２８）、前回フレームに登場した被写体ＩＤと異なる被写体ＩＤを有するオブジェクトデータ２２があるとき、当該各オブジェクトデータ２２をデータ生成部１２９に出力させる（ステップＳ２９）。
【０１００】
なお、このとき、データ通信部１２８によって何れのオブジェクトデータ２２にも前回フレームに登場した被写体ＩＤと異なる被写体ＩＤが存在しないとき、データ通信部１２８は何れのオブジェクトデータ２２もデータ生成部１２９に出力せず、前回のフレームと同じオブジェクトデータ２２である旨をデータ生成部１２９に出力する。また、システム制御部１３１は、映像データ処理および音データ処理を並行的に処理するとともに、ビデオストリーム１を生成する処理を含めたビデオ処理およびオーディオ処理と、オブジェクトデータ２２を取得する処理と、を並行的に処理する。  
【０１０１】
次いで、システム制御部１３１は、当該生成したビデオストリーム１のフレームによって、当該フレームが属するフレーム群を構成すべきフレーム数に達したか否かを判断させる（ステップＳ３０）。
【０１０２】
このとき、データ生成部１２９が生成したコンテンツデータのフレームによって、フレーム群を構成すべきフレーム数に達していないと判断した場合には、当該システム制御部１３１は、ステップＳ２１の処理に移行し、データ生成部１２９に次のフレームのコンテンツデータを生成させる。
【０１０３】
一方、データ生成部１２９が生成したコンテンツデータのフレームによって、フレーム群を構成すべきフレーム数に達したと判断した場合には、当該システム制御部１３１は、データ生成部１２９に、上述のように、各オブジェクトデータ２２その他のデータによりヘッダ部１１を生成させるとともに、各オブジェクトデータ２２に基づいてメタデータ部１３を生成させ、フレーム毎のコンテンツデータ、そのメタデータ部１３と当該ヘッダ部１１とに基づいて、フレーム群データ１０を生成する（ステップＳ３１）。
【０１０４】
なお、データ生成部１２９は、何れのオブジェクトデータ２２にも前回のフレームに登場した被写体ＩＤと異なる被写体ＩＤが存在せず、当該データ生成部１２９に前回のフレームと同じオブジェクトデータ２２である旨が入力された場合には、前回フレームのオブジェクトデータ２２に基づいて当該フレームのメタデータ部１３を生成する。
【０１０５】
次いで、システム制御部１３１は、データ生成部１２９に生成させたフレーム群データ１０をデータ記録部１３０に出力させて当該フレーム群データ１０をデータ記録部１３０に記録する（ステップＳ３２）。
【０１０６】
最後に、システム制御部１３１は、操作部１２４の操作その他に基づいて撮像終了の有無を判断し（ステップＳ３３）、撮像続行と判断した場合には、ステップＳ２１の処理に移行し、撮像終了と判断した場合には、本動作を終了させる。
【０１０７】
以上本実施形態によれば、撮像記録システム１００は、音源から発生された音および写し取られる対象である被写体を撮像することにより取得した映像の少なくとも何れか一方をコンテンツデータとして記録する撮像記録システム１００であって、音源または被写体の少なくとも一方に取り付けられ、当該音源または当該被写体の少なくとも何れか一方の属性を示すオブジェクトデータ２２を送信するデータ送信装置１１０と、データ送信装置１１０から送信されたオブジェクトデータ２２を、当該データ送信装置１１０が取り付けられている音源から発生された音または被写体を撮像することによって取得した映像の少なくとも何れか一方に対応付けて記録する撮像カメラ装置１２０と、を備える構成を有している。
【０１０８】
この構成により、本実施形態の撮像記録システム１００は、音源または被写体に取り付けられたデータ送信装置１１０から送信されたオブジェクトデータ２２を、音源から発生された音または被写体を撮像することによって取得した映像に対応付けて記録する。
【０１０９】
したがって、音源または被写体を記録する際に、当該音源または被写体のオブジェクトデータ２２を当該音源または被写体に関連付けて記録することができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１１０】
また、本実施形態の撮像記録システム１００は、撮像カメラ装置１２０が、被写体を撮像するカメラ部１２１と、撮像した被写体の視野像をコンテンツデータとして取得する映像データ変換部１２５と、データ送信装置１１０から送信されたオブジェクトデータ２２を受信するデータ通信部１２８と、取得した映像データが記録されるとともに、当該記録される映像データに対応付けて受信されたオブジェクトデータ２２が記録されるデータ記録部１３０と、を有する構成をしている。
【０１１１】
この構成により、本実施形態の撮像記録システム１００は、撮像した被写体の視野像をコンテンツデータとして取得するとともに、データ送信装置１１０から送信されたオブジェクトデータ２２を受信し、取得した映像データを記録する際に、当該記録される映像データに対応付けて受信されたオブジェクトデータ２２が記録される。
【０１１２】
したがって、被写体を記録する際に、当該被写体のオブジェクトデータ２２を当該発話された音声または被写体に関連付けて記録することができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１１３】
また、本実施形態の撮像記録システム１００は、撮像カメラ装置１２０における映像データ変換部１２５が、撮像した被写体の視野像を複数のフレームから構成される映像データとして取得する場合に、データ記録部１３０には、フレーム毎に、映像データに対応付けてオブジェクトデータ２２が記録される構成を有している。
【０１１４】
この構成により、本実施形態の撮像記録システム１００では、フレーム毎に、映像データに対応付けてオブジェクトデータ２２が記録されるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１１５】
また、本実施形態の撮像記録システム１００は、撮像カメラ装置１２０が、音源から発生された音を集音する集音用マイクロホン１２６と、マイクロホンが集音した音をコンテンツデータとして取得する音データ変換部１２７と、データ送信装置１１０から送信されたオブジェクトデータ２２を受信するデータ通信部１２８と、取得した音データが記録されるとともに、当該記録される音データに対応付けて受信したオブジェクトデータ２２が記録されるデータ記録部１３０と、有する構成を有している。
【０１１６】
この構成により、本実施形態の撮像記録システム１００は、音源から発生された音をコンテンツデータとして取得するとともに、データ送信装置１１０から送信されたオブジェクトデータ２２を受信し、取得した音データを記録する際に、当該記録される音データに対応付けて受信されたオブジェクトデータ２２が記録される。
【０１１７】
したがって、被写体から発生された音を記録する際に、当該被写体のオブジェクトデータ２２を当該発話された音声または被写体に関連付けて記録することができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１１８】
また、本実施形態の撮像カメラ装置１２０は、音データ変換部１２７が、集音した音を複数のフレームから構成される音データとして取得する場合に、データ記録部１３０には、フレーム毎に、記録される音データに対応付けてオブジェクトデータ２２が記録される構成を有している。
【０１１９】
この構成により、本実施形態の撮像カメラ装置１２０では、フレーム毎に、音データに対応付けてオブジェクトデータ２２が記録されるので、当該記録した音源または被写体の映像を編集する際に、または、再生する際に、フレーム毎の当該オブジェクトデータ２２に基づいて記録および再生を行うことができる。
【０１２０】
また、本実施形態の撮像カメラ装置１２０は、データ通信部１２８が、撮像する被写体と異なる被写体との識別を行うための識別情報、被写体の名称を示す名称情報、被写体の年齢を示す年齢情報、被写体の職業を示す職業情報、被写体の性別を示す性別情報、および、被写体の性格を示す性格情報を属性情報として受信する構成を有している。
【０１２１】
この構成により、本実施形態では、識別情報などの属性情報を映像データまたは音データとともに、データ記録部１３０に記録することができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１２２】
また、本実施形態の撮像カメラ装置１２０は、カメラ部１２１によって撮像可能な撮像範囲に光ビームを照射するビーム照射部１２３を更に有する構成をしている。
【０１２３】
この構成により、本実施形態の撮像カメラ装置１２０では、上述のように、データ送信装置１１０に撮像範囲に属するか否かを判断させ、その情報を撮像カメラ装置１２０に送信すれば、当該撮像カメラ装置１２０は、映像データとともにこの判断結果をデータ記録部１３０に記録させることができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２とともにこの判断結果に基づいて記録または再生を行うことができる。
【０１２４】
また、本実施形態の撮像カメラ装置１２０は、被写体に取り付けられたデータ送信装置１１０からビーム照射部１２３から照射された光ビームを受信した旨を示す光ビーム情報が送信された場合に、データ通信部１２８が、属性情報とともに光ビーム情報を受信し、データ記録部１３０に、属性情報とともに光ビーム情報が記録される構成を有している。
【０１２５】
この構成により、本実施形態の撮像カメラ装置１２０では、上述のように、データ送信装置１１０に撮像範囲に属するか否かを判断させ、その情報を撮像カメラ装置１２０に送信すれば、当該撮像カメラ装置１２０は、映像データとともにこの判断結果をデータ記録部１３０に記録させることができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２とともにこの判断結果に基づいて記録または再生を行うことができる。
【０１２６】
また、本実施形態の撮像カメラ装置１２０は、音データ変換部１２７が音源から発生され音をコンテンツデータとして取得する場合に、音源から発生された音を集音する集音用マイクロホン１２６を有し、マイクロホンが集音した音をコンテンツデータとして取得する。
【０１２７】
この構成により、本実施形態の撮像カメラ装置１２０は、音源から発生された音をコンテンツデータとして取得するとともに、データ送信装置１１０から送信されたオブジェクトデータ２２を受信し、取得した音データを記録する際に、当該記録される音データに対応付けて受信されたオブジェクトデータ２２が記録される。
【０１２８】
したがって、被写体から発生された音を記録する際に、当該被写体のオブジェクトデータ２２を当該発話された音声または被写体に関連付けて記録することができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２に基づいて記録および再生を行うことができる。
【０１２９】
また、本実施形態の撮像カメラ装置１２０は、データ通信部１２８が、属性情報とともに発話情報を受信し、データ記録部１３０に、属性情報とともに発話情報が記録される構成を有している。
【０１３０】
この構成により、本実施形態では、映像データまたは音データとともにこの発話情報をデータ記録部１３０に記録させることができるので、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２とともにこの発話情報に基づいて記録または再生を行うことができる。
【０１３１】
また、本実施形態の撮像カメラ装置１２０は、データ通信部１２８が、データ送信装置１１０とのコンテンツデータの送受信を行う際に、当該コンテンツデータの送受信が可能であるデータ送信装置１１０の有無を判断する構成を有している。
【０１３２】
この構成により、本実施形態の撮像カメラ装置１２０では、データ送信装置１１０とのコンテンツデータの送受信を行う際に、当該コンテンツデータの送受信が可能であるデータ送信装置１１０の有無を判断するので、データ送信装置１１０が送信するオブジェクトデータ２２が不用意に外部に流出することを防止することができる。
【０１３３】
また、本実施形態のデータ送信装置１１０は、光ビームを受信するビーム受信部１１３と、光ビームを受信した旨を示す撮像範囲情報を撮像カメラ装置１２０に送信するデータ送受信部１１２と、を備えて構成を有している。
【０１３４】
この構成により、本実施形態の撮像カメラ装置１２０では、撮像範囲情報を撮像カメラ装置１２０に送信し、当該撮像カメラ装置１２０に、映像データとともにこの判断結果をデータ記録部１３０に記録させることができれば、データ送信装置１１０が取り付けられた被写体が撮像範囲に属するか否かを判断することができ、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２とともにこの判断結果に基づいて記録または再生を行うことができる。
【０１３５】
また、本実施形態のデータ送信装置１１０は、音源から発生された音を集音する被写体用マイクロホン１１４と、当該被写体用マイクロホン１１４によって集音された音に基づいて音源の音の出力の有無を判断する発話判断部１１５と、を備え、データ送受信部１１２が、発話判断部１１５によって判断された判断結果を示す発話情報を撮像カメラ装置１２０に送信する構成を有している。
【０１３６】
この構成により、本実施形態のデータ送信装置１１０では、話判断部によって判断された判断結果を示す発話情報を撮像カメラ装置１２０に送信することができるので、この発話情報を音データまたは映像データとともにデータ記録部１３０に記録すれば、記録された映像のストーリーを解析するなど当該記録した音源または被写体の映像を編集する際に、または、記録された映像の再生時間を短縮しつつ的確にその内容を提供する要約再生などの再生する際に、当該オブジェクトデータ２２とともにこの発話情報に基づいて記録または再生を行うことができる。
【０１３７】
なお、本実施形態のデータ送信装置１１０は、キャラクタを含む被写体などの被写体に取り付けられるようになっているが、勿論、撮像する際に用いられる小道具または大道具などの各道具に当該データ送信装置１１０を取り付けるようにしてもよい。
【０１３８】
この場合、データ送信装置１１０は、道具ＩＤ、道具名称、被写体などのその道具の所有者名からなるオブジェクトデータ２２を組み込んだオブジェクトデータ２２を撮像カメラ装置１２０に送信するようになっている。
【０１３９】
また、本実施形態では、ドラマや映画などの放送されるコンテンツデータを撮像する際に用いられる用になっているが、勿論、ドラマなどのコンテンツデータに限らず、ドキュメンタリーや民生機器として用いるようにしてもよい。この場合に、オブジェクトデータ２２には、記録する被写体の年齢や氏名などの固有の情報を記憶する。
【０１４０】
また、本実施形態では、データ送信装置１１０には、外部からの通信端末装置によってオブジェクトデータ２２を記憶するようになっているが、当該データ送信装置１１０に、確認ボタン、選択ボタン及び数字キー等の多数のキーにより構成された操作入力部を設け、オブジェクトデータ２２を操作入力部を操作することによりデータ記憶部１１１に記憶させるようにしてもよい。
【０１４１】
この場合に、操作入力を補助するために操作入力部の操作入力、記憶すべき属性情報の確認などに用いられる表示部も併せて設けるようになっている。
【０１４２】
また、本実施形態では、認証処理における各部の制御と、当該システム制御部１３１によって記録処理における各部の制御と、をシステム制御部１３１によって実行するようになっているが、当該記録処理の動作を規定するプログラムが記録された記録媒体と、それを読み取るコンピュータと、を備え、このコンピュータで当該プログラムを読み込むことによって上述と同様の記録処理の動作を行うようにしてもよい。
【０１４３】
〔２〕第２実施形態
次に、図８〜図１２を用いてデータ記録システム２００の第２実施形態について説明する。
【０１４４】
本実施形態の編集システムは、第１実施形態において、撮像カメラ装置が映像データおよび音データを有するコンテンツデータとともにデータ送信装置から送信されたオブジェクトデータを記録する点に代えて、データ記録装置が音データのみからなるコンテンツデータとともにデータ送信装置から送信されたオブジェクトデータを記録する点に特徴があり、その他の構成は、第１実施形態と同様であるため、同一部材には同一番号を付して説明を省略する。
【０１４５】
なお、本実施形態では、オーケストラなどの楽器の演奏を記録するものとして説明するとともに、当該データ送信装置を楽器に取り付けてあるものとして説明する。
【０１４６】
また、本実施形態のデータ記録システム２００は、データ送信装置２１０と、オーディオストリームとともにオブジェクトデータを記録するデータ記録装置２２０と、から構成される。
【０１４７】
まず、図８および図９を用いてデータ記録装置に記録されるコンテンツデータおよびオブジェクトデータについて説明する。
【０１４８】
なお、図８は、データ記録装置がデータ記録部に記録するオーディオストリームの構成の一例を示す図であり、図９は、データ送信装置からデータ記録装置に送信するオブジェクトデータの一例を示す図である。
【０１４９】
本実施形態のデータ記録装置２２は、入力された音データおよびオブジェクトデータ２２に基づいて所定の形式を有する図８に示すオーディオストリーム３を生成しつつ、当該生成した部分のオーディオストリームを記録するようになっている。
【０１５０】
本実施形態のオーディオストリーム３は、第１実施形態と同様に、１〜１５フレーム程度のフレーム群毎に纏められた複数のフレーム群データ３０から構成され、当該フレーム群データ３０は、図８に示すように、ヘッダ部３１と、各フレームの音データが記述されるコンテンツデータ部３２と、オブジェクトデータ２２を記述するメタデータ部３３と、から構成される。
【０１５１】
具体的には、ヘッダ部は、各フレーム群のオーディオストリームにおける順番および他のフレーム群との識別を行うためのフレーム群番号情報３４と、各フレーム群毎に記録されているフレーム数を示すフレーム数情報３５と、コンテンツデータ部１２に記述されている各音データにおける各フレームのアドレスを示すアドレス情報（以下、音データドレスという。）３６と、コンテンツデータ部３２に記述されている音データのデータ量（以下、音データサイズという。）３７と、コンテンツデータ部３２に記述されているメタデータのアドレスを示すアドレス情報（以下、メタデータアドレスという。）３８と、コンテンツデータ部３２に記述されているメタデータのデータ量（以下、メタデータサイズという。）３９と、から構成される。
【０１５２】
また、メタデータ部３３は、第１実施形態と同様に、フレーム群に属する各フレームのオブジェクトデータ数の情報４１とその各オブジェクトデータ４２と、から構成されるフレーム毎のフレームメタデータ４０から構成されている。
【０１５３】
一方、各オブジェクトデータ２２は、図９に示すように、データ送信装置が取り付けられている楽器における鳴動または音の出力の有無を示す鳴動情報を有するとともに、演奏者の他の演奏者との識別を示す演奏者ＩＤと、その演奏者名を示す演奏者名情報と、その演奏者の年齢情報と、担当楽器名称を示す楽器名称情報と、を有する属性データから構成されている。
【０１５４】
次に、図１０を用いて本実施形態におけるデータ送信装置の構成について説明する。なお、図１０は、本実施形態におけるデータ送信装置の構成を示すブロック図である。
【０１５５】
本実施形態のデータ送信装置２１０は、上述の属性データを記憶するデータ記憶部１１１と、アンテナＡＴに接続され、オブジェクトデータ４２の送受信を行うとともに当該オブジェクトデータ４２の送受信に関して種々のデータを送受信するデータ送受信部１１２と、当該データ送信装置２１０が取り付けられた楽器の音を取得する楽器用マイクロホン２１１と、当該楽器用マイクロホン２１１に入力された音に基づいて、当該楽器の鳴動またはその楽器における音の出力の有無を判断する出力判断部２１２と、各部を制御するデータ送信装置用制御部１１６と、から構成される。
【０１５６】
なお、本実施形態における楽器用マイクロホン２１１および出力判断部２１２は、第１実施形態の被写体用マイクロホン１１４および発話判断部１１５とその構成は同様である。
【０１５７】
また、例えば、本実施形態のデータ記憶部１１１は、本発明の記憶手段を構成し、データ送受信部１１２は、本発明の送信手段を構成する。また、例えば、本実施形態の楽器用マイクロホン２１１は、本発明の音源用マイクロホンを構成し、出力判断部２１２は、本発明の判断手段を構成する。
【０１５８】
本実施形態の送信装置用制御部は、第１実施形態と同様に、主に中央演算処理装置（ＣＰＵ）およびメモリによって構成されるとともに、各データの送受信の際に、全般的な機能を総括的に制御するようになっている。
【０１５９】
特に、本実施形態では、データ送信装置２１０制御部は、出力判断部２１２によって判断された判断結果、およびデータ記憶部１１１に記憶されている属性データに基づいて、オブジェクトデータ４２を生成し、当該生成したオブジェクトデータ４２を、データ送受信部１１２を介してデータ記録装置２２０に出力するようになっている。
【０１６０】
具体的には、データ送信装置２１０制御部は、入力された出力判断部２１２における判断結果に基づいて、楽器における鳴動または音の出力の有無を示す楽器情報を生成するようになっている。
【０１６１】
また、データ送信装置２１０制御部は、上記のように生成した楽器情報と、演奏者ＩＤ、演奏者名情報、年齢情報および楽器名称情報から構成される属性データと、に基づいてオブジェクトデータ２２を生成し、当該生成したオブジェクトデータ２２をデータ記録装置２２０に出力するようになっている。
【０１６２】
一方、データ送信装置２１０制御部は、第１実施形態と沿うように、当該データ送信装置２１０がデータ記録装置２２０にアクセス可能である装置であることを認証するための所定のデータを、データ記録装置２２０からの指示に基づいてデータ送受信部１１２に送信させるようになっている。
【０１６３】
次に、図１１を用いて本実施形態におけるデータ記録装置の構成について説明する。なお、図１１は、本実施形態のデータ記録装置の構成を示すブロック図である。
【０１６４】
本実施形態のデータ記録装置２２０は、図１０に示すように、操作部１２４と、楽器音を集音する集音用マイクロホン１２６と、当該集音用マイクロホン１２６によって取得した音信号を予め設定された形式の音データに変換する音データ変換部１２７と、アンテナＡＴに接続され、データ送信装置２１０から送信された属性データを有するオブジェクトデータ４２を受信するとともに、当該オブジェクトデータ４２の受信に関して種々のデータを送受信するデータ通信部１２８と、音データおよびオブジェクトデータ４２に基づいてオーディオストリーム３を生成するデータ生成部１２９と、生成されたオーディオストリーム３を記録するデータ記録部１３０と、各部を制御するシステム制御部１３１と、ＲＯＭ／ＲＡＭ１３２から構成される。
【０１６５】
なお、例えば、本実施形態の音データ変換部１２７は、本発明の取得手段およびデータ取得手段を構成し、集音用マイクロホン１２６は、本発明の集音用マイクロホン１２６ロホンを構成する。また、例えば、データ通信部１２８は、本発明の受信手段を構成し、本実施形態のデータ記録部１３０は、本発明の記録手段を構成する。
【０１６６】
本実施形態のデータ生成部１２９には、音データおよびオブジェクトデータ４２が入力されるようになっており、このデータ生成部１２９は、入力された音データおよびオブジェクトデータ４２に基づいて所定の形式を有するオーディオストリーム３を生成しつつ、当該生成した部分のオーディオストリーム３を順次データ記録部１３０に出力するようになっている。
【０１６７】
具体的には、このデータ生成部１２９は、フレーム毎のオブジェクトデータを組み込んだフレーム群データ３０を生成し、当該生成したフレーム群データ３０を複数有するオーディオストリーム３を生成するようになっている。
【０１６８】
例えば、本実施形態のデータ生成部１２９は、上述のように、１〜１５フレーム程度のフレーム群毎に、ヘッダ部３１と、各フレームの音データが記述されるコンテンツデータ部３２と、オブジェクトデータ４２を記述するメタデータ部３３と、から構成されるフレーム群データ３０を生成するようになっている。
【０１６９】
次に、図１２を用いて本実施形態のデータ記録装置の記録処理におけるシステム制御部の制御および各部の動作について説明する。
【０１７０】
なお、図１２は、本実施形態のデータ記録装置の記録処理におけるシステム制御部の制御および各部の動作を示すフローチャートである。
【０１７１】
また、既に、データ送信装置２１０には各属性データが記憶されているものとし、当該各データ送信装置２１０は、上述の認証処理によって既に認証され、オブジェクトデータ２２をデータ記録装置２２０に送信されているものとする。
【０１７２】
まず、ユーザが操作部１２４を操作することにより、システム制御部１３１に音データの記録の開始を指示すると、当該システム制御部１３１は、内部で生成される基準クロックに基づいて、１フレーム分の時間が経過したか否かを判断し（ステップＳ４１）、１フレーム分の時間が経過していないと判断した場合には、当該処理を繰り返すとともに、１フレーム分の時間が経過したと判断した場合には、各フレーム毎に以下の処理を実行する。
【０１７３】
次いで、システム制御部１３１は、基準クロックに基づいて１フレーム分の時間が経過したと判断した場合には、音データ変換部１２７に、集音用マイクロホン１２６から出力された音信号における音データ処理を実行させ、各処理された音データをそれぞれデータ生成部１２９に出力させる（ステップＳ４２、Ｓ４３）。
【０１７４】
具体的には、音データ変換部１２７は、入力された音信号を所定の周期によってサンプリングしてデジタル信号に変換するとともに（ステップＳ４２）、当該変換したデジタル信号を所定の形式にエンコードしてデータ生成部１２９に出力する（ステップＳ４３）。
【０１７５】
一方、システム制御部１３１は、データ通信部１２８に、各オブジェクトデータ４２を受信させ（ステップＳ４４）、当該受信させた各オブジェクトデータ４２における前回フレームに登場した演奏者ＩＤと異なる演奏者ＩＤの有無を判断させるとともに（ステップＳ４５）、前回フレームに登場した演奏者ＩＤと異なる演奏者ＩＤを有するオブジェクトデータがあるとき、当該各オブジェクトデータ４２をデータ生成部１２９に出力させる（ステップＳ４６）。
【０１７６】
なお、このとき、データ通信部１２８によって何れのオブジェクトデータにも前回フレームに登場した演奏者ＩＤと異なる演奏者ＩＤが存在しないとき、データ通信部１２８は何れのオブジェクトデータ４２もデータ生成部１２９に出力しない。また、システム制御部１３１は、音データ処理および判断処理を並行的に処理する。
【０１７７】
次いで、システム制御部１３１は、上述のように、データ生成部１２９に、当該フレームにおける音データに基づいて、コンテンツデータを生成させ、当該生成したコンテンツデータのフレームによって、当該フレームが属するフレーム群を構成すべきフレーム数に達したか否かを判断させる（ステップＳ４７）。
【０１７８】
このとき、データ生成部１２９が生成したコンテンツデータのフレームによって、フレーム群を構成すべきフレーム数に達していないと判断した場合には、当該システム制御部１３１は、ステップＳ４１の処理に移行し、データ生成部１２９に次のフレームのコンテンツデータを生成させる。
【０１７９】
一方、データ生成部１２９が生成したコンテンツデータのフレームによって、フレーム群を構成すべきフレーム数に達したと判断した場合には、当該システム制御部１３１は、データ生成部１２９に、上述のように、各オブジェクトデータ４２その他のデータによりヘッダ部１１を生成させ、フレーム毎のコンテンツデータおよびそのオブジェクトデータ４２と当該ヘッダとに基づいて、フレーム群データ１０を生成する（ステップＳ４８）。
【０１８０】
なお、データ生成部１２９は、第１実施形態と同様に、何れのオブジェクトデータ４２にも前回フレーム群データ１０に登場した演奏者ＩＤと異なる演奏者ＩＤが存在せず、当該データ生成部１２９にオブジェクトデータ４２が入力されない場合には、前回フレームのオブジェクトデータに基づいて当該フレームのオブジェクトデータ４２を生成する。
【０１８１】
次いで、システム制御部１３１は、データ生成部１２９に生成させたフレーム群データ３０をデータ記録部１３０に出力させて当該フレーム群データ３０をデータ記録部１３０に記録する（ステップＳ４９）。
【０１８２】
最後に、システム制御部１３１は、操作部１２４の操作その他に基づいてデータ記録終了の有無を判断し（ステップＳ５０）、データ記録続行と判断した場合には、ステップＳ４１の処理に移行し、データ記録終了と判断した場合には、本動作を終了させる。
【０１８３】
以上本実施形態によれば、データ記録システム２００は、音源から発生された音をコンテンツデータとして記録するデータ記録システム２００であって、音源に取り付けられ、当該音源の属性を示すオブジェクトデータ４２を送信するデータ送信装置２１０と、データ送信装置２１０から送信されたオブジェクトデータ４２を、当該データ送信装置２１０が取り付けられている音源から発生された音に対応付けて記録するデータ記録装置２２０と、を備える構成を有している。
【０１８４】
この構成により、本実施形態のデータ記録システム２００は、音源に取り付けられたデータ送信装置２１０から送信されたオブジェクトデータ４２を、音源から発生された音に対応付けて記録する。
【０１８５】
したがって、音源を記録する際に、当該音源のオブジェクトデータ４２を当該音源に関連付けて記録することができるので、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０１８６】
また、本実施形態のデータ記録システム２００は、データ記録装置２２０が、音源から発生された音を集音する集音用マイクロホン１２６と、マイクロホンが集音した音をコンテンツデータとして取得する音データ変換部１２７と、データ送信装置２１０から送信されたオブジェクトデータ４２を受信するデータ通信部１２８と、取得した音データが記録されるとともに、当該記録される音データに対応付けて受信したオブジェクトデータ４２が記録されるデータ記録部１３０と、有する構成を有している。
【０１８７】
この構成により、本実施形態のデータ記録システム２００は、音源から発生された音をコンテンツデータとして取得するとともに、データ送信装置２１０から送信されたオブジェクトデータ４２を受信し、取得した音データを記録する際に、当該記録される音データに対応付けて受信されたオブジェクトデータ４２が記録される。
【０１８８】
したがって、音源から発生された音を記録する際に、音楽などの音源から発生された音に関連付けて記録することができるので、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０１８９】
また、本実施形態のデータ記録装置２２０は、音データ変換部１２７が、集音した音を複数のフレームから構成される音データとして取得する場合に、データ記録部１３０には、フレーム毎に、記録される音データに対応付けてオブジェクトデータ４２が記録される構成を有している。
【０１９０】
この構成により、本実施形態のデータ記録装置２２０では、フレーム毎に、音データに対応付けてオブジェクトデータ４２が記録されるので、当該記録した音源を編集する際に、または、再生する際に、フレーム毎の当該オブジェクトデータ４２に基づいて記録および再生を行うことができる。
【０１９１】
また、本実施形態のデータ記録装置２２０は、データ通信部１２８が、取得する音源と異なる音源との識別を行うための識別情報、音源の名称を示す名称情報、または、音源から音を出力させるために当該音源を操作する操作者に関する操作者情報を属性情報として受信する構成を有している。
【０１９２】
この構成により、本実施形態では、識別情報などの属性情報を音データとともにデータ記録部１３０に記録することができるので、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０１９３】
また、本実施形態のデータ記録装置２２０は、音データ変換部１２７が音源から発生され音をコンテンツデータとして取得する場合に、音源から発生された音を集音する集音用マイクロホン１２６を有し、マイクロホンが集音した音をコンテンツデータとして取得する。
【０１９４】
この構成により、本実施形態のデータ記録装置２２０は、音源から発生された音をコンテンツデータとして取得するとともに、データ送信装置２１０から送信されたオブジェクトデータ４２を受信し、取得した音データを記録する際に、当該記録される音データに対応付けて受信されたオブジェクトデータ４２が記録される。
【０１９５】
したがって、音源から発生された音を記録する際に、音源から発生された音楽などの音に関連付けて記録することができるので、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０１９６】
また、本実施形態のデータ記録装置２２０は、データ通信部１２８が、属性情報とともに鳴動情報を受信し、データ記録部１３０に、属性情報とともに鳴動情報が記録される構成を有している。
【０１９７】
この構成により、本実施形態では、音データとともにこの鳴動情報をデータ記録部１３０に記録させることができるので、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０１９８】
また、本実施形態のデータ記録装置２２０は、データ通信部１２８が、データ送信装置２１０とのコンテンツデータの送受信を行う際に、当該コンテンツデータの送受信が可能であるデータ送信装置２１０の有無を判断する構成を有している。
【０１９９】
この構成により、本実施形態のデータ記録装置２２０では、データ送信装置２１０とのコンテンツデータの送受信を行う際に、当該コンテンツデータの送受信が可能であるデータ送信装置２１０の有無を判断するので、データ送信装置２１０が送信するオブジェクトデータ４２が不用意に外部に流出することを防止することができる。
【０２００】
また、本実施形態のデータ送信装置２１０は、音源から発生された音を集音する楽器用マイクロホン２１１と、当該楽器用マイクロホン２１１によって集音された音に基づいて音源の音の出力の有無を判断する出力判断部２１２と、を備え、データ送受信部１１２が、出力判断部２１２によって判断された判断結果を示す発話情報をデータ記録装置２２０に送信する構成を有している。
【０２０１】
この構成により、本実施形態のデータ送信装置２１０では、話判断部によって判断された判断結果を示す発話情報をデータ記録装置２２０に送信することができるので、この発話情報を音データまたは映像データとともにデータ記録部１３０に記録すれば、記録された曲などの音楽を解析するなど当該記録した音源を編集する際に、または、記録された曲などの音楽の楽器音をのみを的確に再生する際に、当該オブジェクトデータ４２に基づいて記録および再生を行うことができる。
【０２０２】
また、本実施形態では、コンサートやスタジオなどで演奏される楽曲を録音する際に用いられる用になっているが、勿論、コンサートやスタジオなどで演奏される楽曲に限らず、会話、合唱コンクールや民生機器として用いるようにしてもよい。この場合に、オブジェクトデータ４２には、記録する対象の年齢や氏名などの固有の情報を記憶する。
【０２０３】
また、本実施形態では、データ送信装置２１０には、外部からの通信端末装置によってオブジェクトデータ４２を記憶するようになっているが、当該データ送信装置２１０に、確認ボタン、選択ボタン及び数字キー等の多数のキーにより構成された操作入力部を設け、オブジェクトデータ４２を、操作入力部を操作することによりデータ記憶部１１１に記憶させるようにしてもよい。
【０２０４】
この場合に、操作入力を補助するために操作入力部の操作入力、記憶すべき属性情報の確認などに用いられる表示部も併せて設けるようになっている。
【０２０５】
また、本実施形態では、認証処理における各部の制御と、当該システム制御部１３１によって記録処理における各部の制御と、をシステム制御部１３１によって実行するようになっているが、当該記録処理の動作を規定するプログラムが記録された記録媒体と、それを読み取るコンピュータと、を備え、このコンピュータで当該プログラムを読み込むことによって上述と同様の記録処理の動作を行うようにしてもよい。
【図面の簡単な説明】
【０２０６】
【図１】本願に係る第１実施形態における撮像記録システムのシステム構成を示すブロック図である。
【図２】第１実施形態の撮像カメラ装置がデータ記録部に記録するビデオストリームの構成の一例を示す図である。
【図３】第１実施形態のデータ送信装置から撮像カメラ装置に送信するオブジェクトデータの一例を示す図である。
【図４】第１実施形態の撮像記録システムにおけるデータ送信装置の構成を示すブロック図である。
【図５】第１実施形態の撮像記録システムにおける撮像カメラ装置の構成を示すブロック図である。
【図６】第１実施形態の撮像カメラ装置の認証処理におけるシステム制御部の制御および各部の動作を示すフローチャートである。
【図７】第１実施形態の撮像カメラ装置の記録処理におけるシステム制御部の制御および各部の動作を示すフローチャートである。
【図８】第２実施形態のデータ記録装置がデータ記録部に記録するオーディオストリームの構成の一例を示す図である。
【図９】第２実施形態のデータ送信装置からデータ記録装置に送信するオブジェクトデータの一例を示す図である。
【図１０】第２実施形態のデータ記録システムにおけるデータ送信装置の構成を示すブロック図である。
【図１１】第２実施形態のデータ記録システムにおける撮像カメラ装置の構成を示すブロック図である。
【図１２】第２実施形態のデータ記録装置の記録処理におけるシステム制御部の制御および各部の動作を示すフローチャートである。
【符号の説明】
【０２０７】
１００  …  撮像記録システム
１１０、２１０  …  データ送信装置
１１１  …  データ記憶部
１１２  …  データ送受信部
１１３  …  ビーム受信部
１１４  …  被写体用マイクロホン
１１５  …  発話判断部
１１６  …  データ送信装置用制御部
１２０  …  撮像カメラ装置
１２１  …  カメラ部
１２３  …  ビーム照射部
１２５  …  映像データ変換部
１２６  …  集音用マイクロホン
１２７  …  音データ変換部
１２８  …  データ通信部
１２９  …  データ生成部
１３０  …  データ記録部
１３１  …  システム制御部
２００  …  データ記録システム
２１１  …  楽器用マイクロホン
２１２  …  出力判断部
２２０  …  データ記録装置
【図１】
2005167613.tif 000003
【図２】
2005167613.tif 000004
【図３】
2005167613.tif 000005
【図４】
2005167613.tif 000006
【図５】
2005167613.tif 000007
【図６】
2005167613.tif 000008
【図７】
2005167613.tif 000009
【図８】
2005167613.tif 000010
【図９】
2005167613.tif 000011
【図１０】
2005167613.tif 000012
【図１１】
2005167613.tif 000013
【図１２】
2005167613.tif 000014